(57)【要約】【課題】複数人物のグループにとって便利な情報を迅速かつ確実に提供し、利便性の向上を図る。【解決手段】無線タグ情報読み取り装置１００は、情報を記憶するＩＣ回路部１５０とこれに接続されたアンテナ１５１とを備えた無線タグ回路素子Ｔoに対し情報送受信を行うアンテナ１３０及び通信制御部１２４とを有し、これらを介し、ＩＣ回路部１５０にそれぞれ記憶された利用者の嗜好情報又はこれに対応する情報を取得し、この取得した複数の利用者の嗜好情報に基づき、それら複数の嗜好情報の組み合わせに対応した提示用情報の表示信号を生成して出力する。【選択図】図１０
2008027083.tif 000002
【特許請求の範囲】
【請求項１】
情報を記憶するＩＣ回路部とこのＩＣ回路部に接続されたタグ側アンテナとを備えた無線タグ回路素子に対し無線通信を介して情報送受信を行う通信手段と、
この通信手段を介し、複数の前記無線タグ回路素子の前記ＩＣ回路部にそれぞれ記憶された、当該無線タグ回路素子に関連づけられた利用者の嗜好情報又はこれに対応する情報を取得する情報取得手段と、
この情報取得手段で取得した複数の前記利用者の嗜好情報に基づき、それら複数の嗜好情報の組み合わせに対応した提示用情報の表示信号を生成して出力する表示信号出力手段と
を有することを特徴とする無線タグ情報読み取り装置。
【請求項２】
請求項１記載の無線タグ情報読み取り装置において、
前記情報取得手段で取得した複数の前記利用者の嗜好情報に基づき、それら複数の嗜好情報の組み合わせに対応した提示用情報の抽出条件を算出する抽出条件算出手段と、
前記提示用情報を蓄積したデータベースを備えた記憶装置に対し、前記抽出条件算出手段で算出した前記抽出条件に対応する前記提示用情報を取得するための問い合わせ信号を出力する問い合わせ信号出力手段と、
前記問い合わせ信号に対応し前記記憶装置のデータベースから抽出され取得された少なくとも１つの前記提示用情報に基づき、前記表示信号出力手段で表示信号を生成する提示用情報を決定する提示用情報決定手段とを有する
ことを特徴とする無線タグ情報読み取り装置。
【請求項３】
請求項２記載の無線タグ情報読み取り装置において、
利用者が表示切り替えを指示するための切り替え指示信号を入力可能な切り替え指示信号入力手段を有し、
前記提示用情報決定手段は、
前記表示信号出力手段で第１提示用情報の表示信号を生成して出力した後、前記切り替え指示信号入力手段における前記切り替え指示信号の入力があった場合には、前記データベースから抽出され取得された複数の前記提示用情報に応じて、前記表示信号出力手段で表示信号を生成する、前記第１提示用情報とは別の第２提示用情報を決定することを特徴とする無線タグ情報読み取り装置。
【請求項４】
請求項２又は３記載の無線タグ情報読み取り装置において、
前記抽出条件算出手段は、
前記複数の利用者の嗜好情報に対応した前記提示用情報としての店舗情報の抽出条件を算出し、
前記問い合わせ信号出力手段は、
前記提示用情報としての前記店舗情報を蓄積したデータベースを備えた記憶装置に対し、前記抽出条件算出手段で算出した前記抽出条件に対応する前記店舗情報を取得するための問い合わせ信号を出力し、
前記提示用情報決定手段は、
前記問い合わせ信号に対応し前記記憶装置のデータベースから抽出され取得された少なくとも１つの前記店舗情報に基づき、前記表示信号出力手段で表示信号を生成する店舗情報を決定する
ことを特徴とする無線タグ情報読み取り装置。
【請求項５】
請求項４記載の無線タグ情報読み取り装置において、
前記抽出条件算出手段は、
前記複数の利用者の飲食嗜好情報に対応した前記店舗情報としての飲食店情報の抽出条件を算出し、
前記問い合わせ信号出力手段は、
前記店舗情報としての前記飲食店情報を蓄積したデータベースを備えた記憶装置に対し、前記抽出条件算出手段で算出した前記抽出条件に対応する前記飲食店情報を取得するための問い合わせ信号を出力し、
前記提示用情報決定手段は、
前記問い合わせ信号に対応し前記記憶装置のデータベースから抽出され取得された少なくとも１つの前記飲食店情報に基づき、前記表示信号出力手段で表示信号を生成する飲食店情報を決定する
ことを特徴とする無線タグ情報読み取り装置。
【請求項６】
請求項４又は５記載の無線タグ情報読み取り装置において、
前記抽出条件算出手段における前記抽出条件の設定、若しくは、前記提示用情報決定手段における前記店舗情報の決定に関する複数のモードのうち、利用者が所望のモードを選択するための信号を入力可能な選択信号入力手段を設けたことを特徴とする無線タグ情報読み取り装置。
【請求項７】
請求項６記載の無線タグ情報読み取り装置において、
前記選択信号入力手段で選択入力可能な前記複数のモードのうち少なくとも１つは、前記店舗情報に係る店舗の位置情報、又は、前記店舗情報に係る店舗で要する予算情報のうち少なくとも一方を加味したモードであることを特徴とする無線タグ情報読み取り装置。
【請求項８】
請求項４乃至７のいずれか１項記載の無線タグ情報読み取り装置において、
利用者が店舗における割引サービスを受けるための割引情報識別子の付与を指示するための割引付与指示信号を入力可能な割引付与指示信号入力手段を有することを特徴とする無線タグ情報読み取り装置。
【請求項９】
請求項８記載の無線タグ情報読み取り装置において、
前記割引付与指示信号入力手段での前記割引付与指示信号の入力があった場合に、前記通信手段を介し、前記利用者に関連づけられた前記無線タグ回路素子の前記ＩＣ回路部に前記割引情報識別子を書き込む識別子書込手段を有することを特徴とする無線タグ情報読み取り装置。
【請求項１０】
請求項９記載の無線タグ情報読み取り装置において、
前記通信手段は、
前記識別子書込手段で書き込まれた前記割引情報識別子が読み取られたときに、これに対応した積算子が書き込まれるための積算領域を前記ＩＣ回路部に備えた前記無線タグ回路素子と前記情報送受信を行う
ことを特徴とする無線タグ情報読み取り装置。
【発明の詳細な説明】
【技術分野】
【０００１】
本発明は、無線タグより情報の読み取りを行う無線タグ情報読み取り装置に関する。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において既に実用化されている。
【０００４】
無線タグのこのような性質を利用し、利用者に情報を提供する情報提供システムに応用したものとして、例えば特許文献１に記載のものがある。この従来技術では、利用者（例えば電車の吊革につかまった乗客）の立ち位置の上方に、下方への指向性をもつアンテナを備えた無線タグ情報読み取り装置（リーダ）を設け、各リーダは、対応する利用者の所持する無線タグより当該利用者に関する情報（個人情報）を読み取る。そして、この読み取った個人情報に応じて情報処理装置がそれに対応した表示信号を出力し、当該利用者の近傍（乗客の把持している吊革）に設けた表示手段に、当該利用者個人向けの情報を表示させるようになっている。
【０００５】
【特許文献１】特開２００３−３２３４４４号公報
【発明の開示】
【発明が解決しようとする課題】
【０００６】
上記従来技術では、単独の利用者個人向けの情報を迅速かつ確実に表示させることが可能であるものの、複数人物のグループを対象としたものではない。このため、複数人物のグループ全体にとって便利な情報を提供することはできなかった。
【０００７】
本発明の目的は、複数人物からなるグループに対し便利な情報を、迅速かつ確実に提供できる無線タグ情報読み取り装置を提供することにある。
【課題を解決するための手段】
【０００８】
上記目的を達成するために、第１の発明は、情報を記憶するＩＣ回路部とこのＩＣ回路部に接続されたタグ側アンテナとを備えた無線タグ回路素子に対し無線通信を介して情報送受信を行う通信手段と、この通信手段を介し、複数の前記無線タグ回路素子の前記ＩＣ回路部にそれぞれ記憶された、当該無線タグ回路素子に関連づけられた利用者の嗜好情報又はこれに対応する情報を取得する情報取得手段と、この情報取得手段で取得した複数の前記利用者の嗜好情報に基づき、それら複数の嗜好情報の組み合わせに対応した提示用情報の表示信号を生成して出力する表示信号出力手段とを有することを特徴とする。
【０００９】
本願第１発明においては、情報取得手段によって複数の利用者に係わる無線タグ回路素子のＩＣ回路部から各人の嗜好情報（又はこれに対応する情報）が通信手段を介して取得された後、表示信号出力手段でそれら複数の嗜好情報の組み合わせに応じた提示用情報の表示信号が生成され出力される。これにより、複数の人物の嗜好情報のうち、互いに一致する（又は違いが少ない）部分を見出し、これを両者一緒に楽しむのに適当な提示用情報として適宜の表示手段に表示させることができる。このようにして、複数人物のグループにとって便利な情報を迅速かつ確実に提供でき、利便性を向上することができる。
【００１０】
第２発明は、上記第１発明において、前記情報取得手段で取得した複数の前記利用者の嗜好情報に基づき、それら複数の嗜好情報の組み合わせに対応した提示用情報の抽出条件を算出する抽出条件算出手段と、前記提示用情報を蓄積したデータベースを備えた記憶装置に対し、前記抽出条件算出手段で算出した前記抽出条件に対応する前記提示用情報を取得するための問い合わせ信号を出力する問い合わせ信号出力手段と、前記問い合わせ信号に対応し前記記憶装置のデータベースから抽出され取得された少なくとも１つの前記提示用情報に基づき、前記表示信号出力手段で表示信号を生成する提示用情報を決定する提示用情報決定手段とを有することを特徴とする。
【００１１】
情報取得手段によって複数の利用者に係わる無線タグ回路素子のＩＣ回路部から各人の嗜好情報（又はこれに対応する情報）が通信手段を介して取得された後、抽出条件算出手段でそれら複数の嗜好情報の組み合わせに応じた抽出条件が算出される。そして、これに対応する問い合わせ信号が問い合わせ信号出力手段から出力されて、データベースから少なくとも１つの提示用情報が抽出取得され、これに基づき提示用情報決定手段で決定された提示用情報の表示信号が表示信号出力手段より出力される。このようなデータベースへの検索抽出方式とすることにより、データベースのアップデートを頻繁にすることで、移り変わりの激しい店舗情報等に対しても最新の情報を確実に提供することができる。
【００１２】
第３発明は、上記第２発明において、利用者が表示切り替えを指示するための切り替え指示信号を入力可能な切り替え指示信号入力手段を有し、前記提示用情報決定手段は、前記表示信号出力手段で第１提示用情報の表示信号を生成して出力した後、前記切り替え指示信号入力手段における前記切り替え指示信号の入力があった場合には、前記データベースから抽出され取得された複数の前記提示用情報に応じて、前記表示信号出力手段で表示信号を生成する、前記第１提示用情報とは別の第２提示用情報を決定することを特徴とする。
【００１３】
このように第１提示用情報の表示中に、利用者の切り替え指示に応じ別の第２提示用情報の表示に切り替え可能とすることにより、所定の抽出条件に応じ表示させた情報について利用者が満足しなかったとき当該抽出条件に対応する別の候補を新たに表示させることができ、さらに利便性を向上することができる。
【００１４】
第４発明は、上記第２又は第３発明において、前記抽出条件算出手段は、前記複数の利用者の嗜好情報に対応した前記提示用情報としての店舗情報の抽出条件を算出し、前記問い合わせ信号出力手段は、前記提示用情報としての前記店舗情報を蓄積したデータベースを備えた記憶装置に対し、前記抽出条件算出手段で算出した前記抽出条件に対応する前記店舗情報を取得するための問い合わせ信号を出力し、前記提示用情報決定手段は、前記問い合わせ信号に対応し前記記憶装置のデータベースから抽出され取得された少なくとも１つの前記店舗情報に基づき、前記表示信号出力手段で表示信号を生成する店舗情報を決定することを特徴とする。
【００１５】
これにより、店舗で提供されるサービス又は提供で購入可能な商品等に関する複数の人物の嗜好情報のうち、互いに一致する（又は違いが少ない）部分を見出し、これに対応する店舗情報を両者一緒に楽しめるお店として適宜の表示手段に表示させることができる。
【００１６】
第５発明は、上記第４発明において、前記抽出条件算出手段は、前記複数の利用者の飲食嗜好情報に対応した前記店舗情報としての飲食店情報の抽出条件を算出し、前記問い合わせ信号出力手段は、前記店舗情報としての前記飲食店情報を蓄積したデータベースを備えた記憶装置に対し、前記抽出条件算出手段で算出した前記抽出条件に対応する前記飲食店情報を取得するための問い合わせ信号を出力し、前記提示用情報決定手段は、前記問い合わせ信号に対応し前記記憶装置のデータベースから抽出され取得された少なくとも１つの前記飲食店情報に基づき、前記表示信号出力手段で表示信号を生成する飲食店情報を決定することを特徴とする。
【００１７】
これにより、飲食物に関する複数の人物の嗜好情報のうち、互いに一致する（又は違いが少ない）部分を見出し、これに対応する飲食店情報を両者一緒に楽しめるお店として適宜の表示手段に表示させることができる。
【００１８】
第６発明は、上記第４又は第５発明において、前記抽出条件算出手段における前記抽出条件の設定、若しくは、前記提示用情報決定手段における前記店舗情報の決定に関する複数のモードのうち、利用者が所望のモードを選択するための信号を入力可能な選択信号入力手段を設けたことを特徴とする。
【００１９】
これにより、利用者の選択結果に応じて、複数用意されたモードのうちのいずれかに切り替え、当該モードに沿った態様で抽出条件の設定又は店舗情報の決定を行えるので、そのときの利用者の意向をより反映した形で店舗情報の表示を行うことができる。
【００２０】
第７発明は、上記第６発明において、前記選択信号入力手段で選択入力可能な前記複数のモードのうち少なくとも１つは、前記店舗情報に係る店舗の位置情報、又は、前記店舗情報に係る店舗で要する予算情報のうち少なくとも一方を加味したモードであることを特徴とする。
【００２１】
これにより、店舗の位置情報を加味し無線タグ情報読み取り装置の設置位置により近い店舗情報を優先して表示するようにしたり、予算情報を加味して当該店舗において利用者が必要な予算がより安い店舗情報を優先して表示したりすることが可能となり、さらに利便性を向上することができる。
【００２２】
第８発明は、上記第４乃至第７発明のいずれかにおいて、利用者が店舗における割引サービスを受けるための割引情報識別子の付与を指示するための割引付与指示信号を入力可能な割引付与指示信号入力手段を有することを特徴とする。
【００２３】
これにより、店舗情報の表示提供を受けた利用者がこれに従って当該店舗に赴くとき、割引情報識別子の付与（無線タグ回路素子への書込又はクーポン券の発行）を受けることで当該店舗における割引サービスを受けることが可能となり、さらに利便性を向上することができる。また、店舗では利用者がどの端末から誘導されて来店したか把握できる。
【００２４】
第９発明は、上記第８発明において、前記割引付与指示信号入力手段での前記割引付与指示信号の入力があった場合に、前記通信手段を介し、前記利用者に関連づけられた前記無線タグ回路素子の前記ＩＣ回路部に前記割引情報識別子を書き込む識別子書込手段を有することを特徴とする。
【００２５】
識別子書込手段で無線タグ回路素子へ割引情報識別子を書き込むことにより、行き先の店舗において当該無線タグ回路素子を読み取ってもらうことで割引サービスを受けることができる。
【００２６】
第１０発明は、上記第９発明において、前記通信手段は、前記識別子書込手段で書き込まれた前記割引情報識別子が読み取られたときに、これに対応した積算子が書き込まれるための積算領域を前記ＩＣ回路部に備えた前記無線タグ回路素子と前記情報送受信を行うことを特徴とする。
【００２７】
これにより、識別子書込手段で割引情報識別子が書き込まれた無線タグ回路素子を、行き先の店舗において読み取ってもらったときに、積算領域に積算子を書き込んでもらうことが可能となり、この場合、当該来店（又は利用）実績を積算ポイントとして蓄積することができる。この結果、この蓄積に応じたサービスを利用者側に提供することができ、さらに多様なサービスが可能となって利便性を向上することができる。
【発明の効果】
【００２８】
本発明によれば、複数人物からなるグループを構成する利用者に対し便利な情報を、迅速かつ確実に提供できる。
【発明を実施するための最良の形態】
【００２９】
以下、本発明の一実施の形態を図面を参照しつつ説明する。本実施形態は、無線タグ情報読み取り装置の読み取り対象の一例として、複数の利用者の飲食嗜好情報（食べ物の好みや飲食店利用の履歴等）に基づき、それら複数の嗜好情報の組み合わせに対応した店舗情報を提示（提供）する場合の実施形態である。
【００３０】
図１は、本実施形態の無線タグ情報読み取り装置１００の全体構造を表す外観斜視図である。
【００３１】
図１において、本実施形態の無線タグ情報読み取り装置１００は、例えば駅、商店街、公共施設、集客施設等の不特定多数の人々が集まる場所に備え付けられており、複数（例えば２人）の利用者が食事をするお店を探す場合において、お互いの飲食の嗜好からおすすめのお店の情報を提供するものである。
【００３２】
この無線タグ情報読み取り装置１００は、上記のようにそれぞれの利用者が有するカード（利用者の飲食の嗜好情報の記憶されたカード、以下利用者カードＡ，Ｂという）等の情報を読み取る読み取り部１０１Ａを備えた筐体１０１と、この筐体１０１の手前側に位置し、後述の「クーポン発行」「次店舗検索」等、各種操作指示を行うための適宜のキー、ボタン、スイッチ、パッド等（図示省略）を備えた操作部１１０と、この操作部１１０の操作等に対応して所定の表示を行う表示部１４０とを有している。
【００３３】
図２は、上記無線タグ情報読み取り装置１００と、利用者カードＡ，Ｂとの通信の様子を概念的に表す機能ブロック図である。図２において、無線タグ情報読み取り装置１００は、アンテナ１３０と、このアンテナ１３０に接続されるとともにネットワークＮＷにも接続された制御部１２０とを有している。そして、読み取り対象の利用者カードＡ，Ｂに設けた（＝例えば貼付される、但し、添付・同梱等でもよい。要は関連して取り扱われれば足りる）無線タグＴ１、Ｔ２に備えられた無線タグ回路素子Ｔo（詳細は後述）とアンテナ１３０を介して無線通信を行い、当該利用者カードの情報（タグＩＤ情報、嗜好情報等）をそれぞれ読み取ることで、この２つの嗜好情報からおすすめ店舗を順次検索するようになっている。
【００３４】
図３は、上記無線タグ情報読み取り装置１００の読み取り（スキャン）対象である上記利用者カードＡ，Ｂに設けられる上記無線タグ回路素子Ｔoの機能的構成の一例を表すブロック図である。
【００３５】
図３において、無線タグ回路素子Ｔoは、無線タグ情報読み取り装置１００のアンテナ１３０と所定周波数（例えばＵＨＦ帯等の高周波等）を用いて非接触で信号の送受信を行うアンテナ１５１(タグ側アンテナ)と、このアンテナ１５１に接続されたＩＣ回路部１５０とを有している。
【００３６】
ＩＣ回路部１５０は、アンテナ１５１により受信された搬送波を整流する整流部１５２と、この整流部１５２により整流された搬送波のエネルギを蓄積しＩＣ回路部の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００３７】
変復調部１５６は、アンテナ１５１により受信された上記商品情報管理装置１００のアンテナ１３０からの通信信号の復調を行うと共に、上記制御部１５７からの返信信号に基づき、アンテナ１５１が受信した搬送波を変調し、アンテナ１５１より反射波として再送信する。
【００３８】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００３９】
クロック抽出部１５４は受信した信号からクロック成分を抽出して制御部１５７にクロックを抽出するものであり、受信した信号のクロック成分の速度に対応したクロックを制御部１５７に供給する。
【００４０】
図４は、無線タグ情報読み取り装置１００に備えられた前述の制御部１２０の機能的構成の詳細を表す機能ブロック図である。図４において、制御部１２０は、ＣＰＵ（中央演算装置）１２１と、上記ネットワークＮＷを介した信号授受の制御を行うネットワーク通信制御部１２２と、例えばＲＡＭやＲＯＭからなるメモリ１２３と、アンテナ１３０を介し上記無線タグ回路素子Ｔoとの通信制御を行う通信制御部１２４と、上記表示部１４０の表示を制御する表示制御部１２５と、データベース（この例では店舗情報データベース）を備えた記憶装置１２８とを備えている。
【００４１】
なお、この例では、無線タグ情報読み取り装置１００の制御部１２０内にデータベース（店舗情報データベース）を備えた記憶装置１２８（後述の図４参照）を設けたが、ネットワークＮＷを介し接続された別の記憶装置内（図示せず）に設けてもよい。
【００４２】
図５は、上記通信制御部１２４及びアンテナ１３０の詳細構成を表す機能ブロック図である。
【００４３】
通信制御部１２４は、上記アンテナ１３０を介して上記無線タグ回路素子ＴoのＩＣ回路部１５０にアクセスして、識別情報等の各種情報を読み取ったり、クーポン発行等の各種情報を書き込む指令を出力したりする処理を行うための、高周波回路として機能する送信部２１２及び受信部２１３と、送受分離器２１４とを備えている。
【００４４】
送信部２１２は、ＣＰＵ１２１からの制御信号に応じ、無線タグ回路素子ＴoのＩＣ回路部１５０の無線タグ情報にアクセスする(読み取り／書き込みを行う)ための搬送波を発生させる水晶振動子２１５Ａ、ＣＰＵ１２１の制御により所定の周波数の信号を発生させるＰＬＬ（Phase  Locked  Loop）２１５Ｂ、及びＶＣＯ（Voltage  Controlled  Oscillator）２１５Ｃと、上記ＣＰＵ１２１から供給される信号に基づいて上記搬送波発生部により発生させられた搬送波を変調（この例ではＣＰＵ１２１からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例ではＣＰＵ１２１からの「ＴＸ＿ＰＷＲ」信号によって増幅率を決定される増幅）する増幅率可変送信アンプ２１７とを備えている。そして、上記搬送波発生部により発生される搬送波は、例えば短波帯(13.56MHz等)、ＵＨＦ帯、マイクロ波帯等の周波数を用いており、上記送信アンプ２１７の出力は、送受分離器２１４を介しアンテナ１３０に伝達されて、無線タグ回路素子ＴoのＩＣ回路部１５０に供給される。なお、無線タグ情報は上記のように変調した信号に限られず、単なる搬送波のみの場合もある。
【００４５】
受信部２１３は、アンテナ１３０で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ１３０で受信された無線タグ回路素子Ｔoからの反射波と上記発生された後に移相器２２７により位相が９０°遅れた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ１２１に入力されて処理される。
【００４６】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ１２１に入力されるようになっている。このように、通信制御部１２４では、Ｉ−Ｑ直交復調によって無線タグ回路素子Ｔoからの反射波の復調が行われる。
【００４７】
ＣＰＵ１２１は、無線タグ回路素子ＴoのＩＣ回路部１５０から取得した信号を処理して前述の識別情報（タグＩＤ）等を読み出すとともに、無線タグ回路素子ＴoのＩＣ回路部１５０に対するアクセス情報を生成する機能を有する。
【００４８】
ここで、無線タグ情報読み取り装置１００では、前述したように、利用者カードＡ，Ｂそれぞれに設けた無線タグ回路素子Ｔoとアンテナ１３０を介して無線通信を行い、当該利用者の嗜好情報を取得する。そして、本実施形態の要部は、上記のような複数の利用者の嗜好情報に基づき、それら複数の嗜好情報の組み合わせに対応したおすすめのお店情報（おすすめ店舗情報）を提示（提供）することにある。以下、そのような詳細内容を順を追って説明する。
【００４９】
図６は、利用者カードにおける上記嗜好情報の例を説明するための説明図である。図６において、利用者カードＡ，Ｂの無線タグＴ１，Ｔ２の無線タグ回路素子Ｔoには、識別情報としてのタグＩＤ（図中では１６進数で表示）と、利用者の飲食の嗜好情報（この例では１６進数の１〜ｆのうち、ｆが最も利用者の好む度合いが高い、この１〜ｆを以下「嗜好度数」という）とが、予めそれぞれ対応づけられた情報の形で格納されている。なお、この嗜好情報は、利用者それぞれが適宜の手段で予め操作入力にて書き込んでおくようにしても良いし、過去の飲食店舗への利用実績（利用履歴）に応じて自動的に形成されるようにしてもよい。
【００５０】
例えば、利用者カードＡでは、和食の嗜好度数が２，中華の嗜好度数が１３（１６進法表示では「ｄ」）、洋食の嗜好度数が９、イタリアンの嗜好度数が８である。したがって、この利用者カードＡを所持する利用者は、中華を最も好み、次に洋食、その次にイタリアンを好み、和食はあまり好まないことが示されている。
【００５１】
同様に、利用者カードＢを有する利用者は、洋食を最も好み（嗜好度数１０、ただし１６進法表示では「ａ」）、次にイタリアン（嗜好度数９）、その次に中華（嗜好度数８）の順に好み、やはり和食はあまり好まない（嗜好度数５）ことが示されている。
【００５２】
図７は、前述の図６の利用者カードＡ，Ｂから読み取ったそれぞれの嗜好情報から最も互いの好みの一致する（または違いの少ない）ジャンル（和食、中華、洋食、イタリアンのいずれか）を決定するための演算方法及びこの演算の結果を順位づける説明するための説明図である。この例では、それぞれの嗜好度数を乗算して得られた結果（嗜好得点という）の最も高いものから順に１位、２位、３位と順位づけをしている。この例では、中華料理が１０４点（Ａカード利用者１３点、Ｂカード利用者８点）で最も得点が高く、次いで洋食９０点（Ａカード利用者９点、Ｂカード利用者１０点）、イタリアン７２点（Ａカード利用者８点、Ｂカード利用者９点）、最下位が和食１０点（Ａカード利用者２点、Ｂカード利用者５点）となっている。この結果、最も互いの好みの一致する（または違いの少ない）ジャンルは中華ということになる。なお、上記の演算方法は、乗算に限らず、加算、あるいは別途の関数を用いて行ってもよい。
【００５３】
図８（ａ）は、データベース１２８Ａ（詳細は後述）に格納されている店舗データの一例を概念的に表す図である。図では、和食、中華、洋食、イタリアンのように食事の種類ごとに店舗データが格納されている。それぞれの店舗データは、この例では所在地情報と電話番号情報とを含んでいる。所在地情報は、詳細には、図８（ｂ）に示すように、当該店舗の住所や、駅等（無線タグ情報読み取り装置１００が設置されている場所、以下では単に設置場所という）から当該店舗までの距離等の情報を含んでいる。
【００５４】
なお、本実施形態の無線タグ情報読み取り装置１００では、嗜好得点の最も高いジャンル（和食、中華、洋食、イタリアンのうちのいずれか）のうち上記の設置場所からの距離が最も短い（近い）店舗データをおすすめのお店情報として提示（提供）するようになっている。このことを具体的に図９を用いて説明する。
【００５５】
図９は、前述の図８（ａ）の店舗データのうち中華料理に関する店舗データの詳細を抽出して表した説明図である。ここでは、各店舗の所在地情報においては、店アは設置場所から１．０ｋｍ、店イは設置場所から０．３ｋｍ、店ウは設置場所から０．６ｋｍ、となっている。従って、この場合、設置場所から最短距離にある店イが、最終的なおすすめのお店情報として選択されることになる。
【００５６】
図１０（ａ）及び図１０（ｂ）は、表示部１４０に表示されるおすすめのお店情報の画像の一例を表す図である。前述の図７より互いの好みの一致する（または違いの少ない）ジャンルは中華料理となり、また前述の図８及び図９より中華料理のお店のうち設置場所より最短距離のお店として店イが選択されて、まず、おすすめのお店情報として表示部１４０に表示される画像が図１０（ａ）である。
【００５７】
このとき、本実施形態の無線タグ情報読み取り装置１００においては、おすすめのお店情報は前述のような最も最短距離の１つだけではなく、次に距離の短いお店情報も次候補として提示することができるようになっている（なお、その次に距離の短い候補、さらに次の候補、のように順番に順位の低いお店情報も表示できる）。すなわち、図１０（ａ）に示すように、次候補のお店情報の画像に切り替えるための「次へ」ボタンが設けられている。利用者が次候補のお店情報を表示させることを意図し操作部１１０の操作を介しこの「次へ」ボタンを操作すると、次候補のお店（店ウ）の情報が表示される。図１０（ｂ）は、この次候補表示状態を表す図である。なお、その他図示はしないが、第１位のおすすめのお店情報と次候補のおすすめのお店情報等を同時に表示させるものでもよい。
【００５８】
図１０（ｂ）において、この次候補表示画面では、図１０（ａ）と同様のお店情報が表示されるとともに、先のおすすめのお店情報（店イの情報）の画像に再度切り替えるための「戻る」ボタンが設けられている。利用者が店イの情報の画像を再度表示させることを意図し操作部１１０の操作を介しこの「戻る」ボタンを操作すると、図１０（ａ）の画像が再び表示される。なお「次へ」ボタンを操作すると、さらに次候補のお店情報が表示される。
【００５９】
なお、図１０（ａ）及び図１０（ｂ）において操作部１１０の操作を介し操作可能な「クーポン」ボタンが別途設けられているが、これは後述するクーポンコードの書き込みを行う場合に適宜の操作を促すためのものである。
【００６０】
図１１は、制御部１２０に備えられた上記ＣＰＵ１２１及び上記記憶装置１２８の機能的構成を表す機能ブロック図である。
【００６１】
図１１において、ＣＰＵ１２１は、前述した利用者カードＡ，Ｂに係わる無線タグ回路素子Ｔoと無線通信を行い、タグＩＤ及び嗜好情報等を読み取る制御を行うタグサーチ部１２１Ａと、上記読み取りにより検出された利用者の飲食の嗜好情報データに基づき、上記嗜好情報から得られた嗜好得点の最も高いジャンルの店舗データの属するファイル（店舗ファイル）を記憶装置１２８内のデータベース１２８Ａから検索する店舗データ検索部１２１Ｂと、上記検索の結果に対応して対応する店舗に関する情報を利用者カードＡ，Ｂに係わる無線タグ回路素子ＴoのＩＣ回路部１５０にクーポンコード（割引情報識別子）として書き込む処理を行うクーポン発行部１２１Ｃとを備えている。
【００６２】
記憶装置１２８のデータベースＤＢ１２８Ａ内には、この例では、図示のように店舗ファイルＦ１，Ｆ２，Ｆ３，Ｆ４が例えばフォルダ形式で備えられている。
【００６３】
店舗ファイルＦ１〜Ｆ４は、和食、中華、洋食、イタリアンをそれぞれ提供する店舗のある時点での店舗データ（店舗情報）を記録したものであり、この例では、図示のように各ファイルのファイル番号（００１，００２等）、店舗名称、所在地情報、電話番号情報、発行可能なクーポン情報（各種割引等のサービス情報、図中では各ファイルに「ク」と略記）等が記録されている。これらの情報は、例えばネットワーク通信制御部１２２を介し通信ネットワークＮＷからの信号に基づきＣＰＵ１２１の演算処理によって所定時隔ごとに更新（アップデート）されているものである。
【００６４】
図１２は、無線タグ回路素子ＴoのＩＣ回路部１５０に記憶されている情報の上記メモリ部１５５内のメモリ領域を概念的に表す図である。図示のように、メモリ部１５５内には、第１メモリ領域Ｒ１〜第５メモリ領域Ｒ５が備えられている。
【００６５】
これら第１メモリ領域Ｒ１〜第５メモリ領域Ｒ５のうち、第１メモリ領域Ｒ１にはタグＩＤの情報が格納されている。この例では、１６進法表記で「１２３４ｈ」のタグＩＤが格納されている。
【００６６】
第２メモリ領域Ｒ２には利用者の飲食の嗜好情報が格納されており、この例では、和食の嗜好度数２、洋食の嗜好度数９、中華の嗜好度数１３（１６進法表記では「ｄ」）、イタリアンの嗜好度数８が記録されている。
【００６７】
第３メモリ領域Ｒ３及び第４メモリ領域Ｒ４は前述したクーポンコードを格納する領域となっており、おすすめのお店情報から利用者が選択決定した店舗に対応するクーポンコードが書き込まれるものである。この例では次候補のお店も含めた最大２店舗分のクーポンコードが書き込めるようになっている。なお、クーポンコードを格納するメモリ領域は一つのメモリ領域であってもよい。
【００６８】
第５メモリ領域Ｒ５は、予備のメモリ領域となっており、例えば、第３候補のお店のクーポンコードを書き込む場合や、当該店舗での利用実績を表すポイント情報の蓄積（詳細は後述）などに利用されるものである。
【００６９】
図１３は、前述したようなおすすめのお店情報を提示するために、制御部１２０内のＣＰＵ１２１が行う制御手順を表すフローチャートである。
【００７０】
図１３において、まず利用者Ａ，Ｂが無線タグ情報読み取り装置１００の読み取り部１０１Ａに利用者カードを接近（又は接触）させることにより、ステップＳ１０において、タグサーチ部１２１Ａで、通信制御部１２４及びアンテナ１３０を介し無線タグ回路素子Ｔoに対する呼びかけ信号を出力して無線通信による信号送受を行い、利用者カードＡ，Ｂに係わる無線タグ回路素子ＴoのＩＣ回路部１５０に格納されているそれぞれのタグＩＤ等を含む無線タグ情報等の読み取りを行う。
【００７１】
具体的には「ＴＸ＿ＡＳＫ」信号を生成し送信乗算回路２１６に出力することで送信乗算回路２１６で対応する振幅変調が行われアクセス情報としての上記呼びかけ信号となる一方、「ＴＸ＿ＰＷＲ」信号を生成し増幅率可変送信アンプ２１７に出力することで増幅率可変送信アンプ２１７でその「ＴＸ＿ＰＷＲ」信号に基づく増幅率で信号増幅が行われ、最終的にアンテナ１３０を介し送信される。このようにして、対象である無線タグＴの無線タグ回路素子Ｔoからの返信を促し、タグＩＤ等を含む無線タグ情報等を含む応答（リプライ）信号を受信する。
【００７２】
その後、ステップＳ１５に移り、タグサーチ部１２１Ａで上記ステップＳ１０での応答信号受信結果に応じ、利用者カードＡ及び利用者カードＢそれぞれに対応する２つのタグＩＤの読み取りができたか否かを判定する。２つのタグＩＤが読み取れなかった場合は判定が満たされず、ステップＳ１０に戻り同様の手順を繰り返す。２つのタグＩＤが読み取られた場合、判定が満たされ、次のステップＳ２０へ移る。なお、このとき読み取られた（タグＩＤを含む）情報は一旦メモリ１２３に記憶される。
【００７３】
ステップＳ２０においては、店舗データ検索部１２１Ｂで、メモリ１２３に記憶された情報（読み取り情報）から嗜好情報（無線タグ回路素子Ｔoの前述の第２メモリ領域Ｒ２に格納されていた利用者の飲食の嗜好情報）を抽出する。
【００７４】
その後、ステップＳ２５において、店舗データ検索部１２１Ｂで、前述の嗜好度数を乗算する演算を行い、嗜好得点を算出する。このとき得られた嗜好得点の最も高いものから順位付けを行い、最も高い順位のジャンル（前述の図７等の例では「中華料理」。以下も同様に図７等の例をとる）をおすすめのお店を探すジャンルとして決定する。
【００７５】
次にステップＳ３０に移り、店舗データ検索部１２１Ｂで、記憶装置１２８内のデータベース１２８Ａにアクセスし、該当する店舗ファイルの情報を全て読み出す（この例では店舗ファイル（中華）の店ア、店イ、店ウ等の店舗データ）。そして一旦メモリ１２３に記憶させる。
【００７６】
そしてステップＳ３５においては、店舗データ検索部１２１Ｂで、ステップＳ３０で読み出した店舗ファイルから、設置場所から最短距離の店舗をおすすめのお店情報として決定する。さらにこのとき次に設置場所からの距離の近い店舗を次候補のおすすめのお店情報として決定する。なお、前述したように、読み出した店舗ファイルに属する店舗データを距離ごとにソートして次候補、次次候補・・と順位付けを行い、第３候補以下も提示させるようにしてもよい。
【００７７】
その後、ステップＳ４０において、店舗データ検索部１２１Ｂで、表示制御部１２５を介して表示部１４０に所定の表示制御信号を出力し、おすすめのお店情報を提示用情報（第１提示用情報）として表示させ、次のステップＳ４５へ移る。
【００７８】
ステップＳ４５においては、店舗データ検索部１２１Ｂで、操作部１１０を介して次候補検索の操作（図１０（ａ）及び図１０（ｂ）において前述した「次へ」ボタンの操作信号が操作部１１０より入力されたかどうか）がなされたか否かを判定する。次候補検索の操作がなされた場合（操作入力信号が検出された場合）、判定が満たされ、ステップＳ３５に戻って対応する次の（次の順位の）店舗のお店情報（第２提示用情報）を表示すべき対象の店として決定しステップＳ４０で当該店舗に関する表示制御信号を表示制御部１２５を介し出力し、表示部１４０に対応するお店情報を表示させる。
【００７９】
ステップＳ４５で、次候補検索の操作がなされない場合（操作入力信号が検出されない場合）、判定が満たされず、次のステップＳ５０に移る。なお、操作入力信号の検出の有無については、例えば所定の時間内に操作入力信号が検出されたか否かで判定すれば足りる。
【００８０】
次のステップＳ５０においては、クーポン発行部１２１Ｃで、操作部１１０を介してクーポン発行の操作がなされたか否か（図１０（ａ）及び図１０（ｂ）において前述した「クーポン発行」ボタンの操作信号が操作部１１０より入力されたかどうか）を判定する。この操作入力信号の検出の有無についても、上記同様、例えば所定の時間内に操作入力信号が検出されたか否かで判定すれば足りる。上記クーポン発行操作がなされない場合、ステップＳ５０の判定が満たされず、この処理を終了する。上記クーポン発行操作がなされた場合ステップＳ５０の判定が満たされ、次のステップＳ５５に移る。
【００８１】
そしてステップＳ５５においては、クーポン発行部１２１Ｃで、アンテナ１３０より書き込み対象の無線タグＴに対する書き込み信号を出力させる。詳細には、「ＴＸ＿ＡＳＫ」信号を生成し送信乗算回路２１６に出力することで送信乗算回路２１６で対応する上記振幅変調が行われアクセス情報としての上記書き込み信号となる一方、「ＴＸ＿ＰＷＲ」信号を生成し増幅率可変送信アンプ２１７に出力することで増幅率可変送信アンプ２１７でその「ＴＸ＿ＰＷＲ」信号に基づく増幅率で信号増幅が行われ、最終的にアンテナ１３０を介し送信される。このようにして、書き込み対象である無線タグＴの無線タグ回路素子ＴoのＩＣ回路部１５０にクーポンコードが書き込まれる。このクーポンコードには、少なくとも、このクーポンにより利用者が享受することのできるサービス内容（「○○円引き」等）が含まれ、さらに適宜当該店舗の上記所在地情報や電話番号等（後述の図１４（ａ）参照）や、無線タグ情報読み取り装置１００を特定する情報（設置箇所等。後述の図１４（ｂ）参照）が含まれる。なお、このクーポンコードの書き込みは前述の図１２に示したメモリ部５５内の第３メモリ領域Ｒ３（次候補のクーポンコードを書き込む場合はさらに第４メモリ領域Ｒ４）に対して行われる。クーポンコードの書き込みが終わるとこのフローを終了する。
【００８２】
図１４（ａ）は、上記図１３のステップＳ５５で説明したＩＣ回路部１５０へクーポンコードの書き込みが行われる一例を概念的に表した図である。図１４（ａ）において、この例は、店舗を指定したクーポンコードが書き込まれる場合の例であり、店アに対応するクーポンコード「００−０１−１２−２３」や、あるいは、店イに対応するクーポンコード「０１−２３−４５−６７」がクーポンコードとして第３メモリ領域Ｒ３に書き込まれる。このように店に対応したクーポンコードが書き込まれることにより、該当する店舗において所定のサービス内容特典（「○○円引き」、「割り引かれた○○円にてサービスご提供」、「所定サービス無料」、「記念品贈呈」等）を得ることができる。
【００８３】
図１４（ｂ）は、上記図１３のステップＳ５５で説明したＩＣ回路部１５０へクーポンコードの書き込みが行われる他の例を概念的に表した図である。図１４（ｂ）において、この例は、無線タグ情報読み取り装置１００を特定する情報に対応したクーポンコードが書き込まれる場合の例であり、設置箇所（この例では○×駅）の無線タグ情報読み取り装置１００（設置端末）を利用した場合、「ＡＢ−ＣＤ−ＥＦ−０１」がクーポンコードとして無線タグ回路素子Ｔoの第３メモリ領域Ｒ３に書き込まれる。このように装置１００を特定しこれに対応したクーポンコードが書き込まれることにより、例えば当該装置１００で検索可能な店舗全てに共通のクーポンの特典を得ることができる。
【００８４】
以上において、通信制御部１２４及びアンテナ１３０が、各請求項記載の、情報を記憶するＩＣ回路部とこのＩＣ回路部に接続されたタグ側アンテナとを備えた無線タグ回路素子に対し無線通信を介して情報送受信を行う通信手段を構成する。
【００８５】
また、図１３におけるステップＳ１０及びＳ２０が、通信手段を介し、複数の無線タグ回路素子のＩＣ回路部にそれぞれ記憶された、無線タグ回路素子に関連づけられた利用者の嗜好情報又はこれに対応する情報を取得する情報取得手段を構成する。また、ステップＳ４０が、情報取得手段で取得した複数の利用者の嗜好情報に基づき、それら複数の嗜好情報の組み合わせに対応した提示用情報の表示信号を生成して出力する表示信号出力手段を構成する。
【００８６】
また、図１３におけるステップＳ２５が、情報取得手段で取得した複数の利用者の嗜好情報に基づき、それら複数の嗜好情報の組み合わせに対応した提示用情報の抽出条件を算出する抽出条件算出手段を構成し、ステップＳ３０が、提示用情報を蓄積したデータベースを備えた記憶装置に対し、抽出条件算出手段で算出した抽出条件に対応する提示用情報を取得するための問い合わせ信号を出力する問い合わせ信号出力手段を構成する。また、ステップＳ３５が、問い合わせ信号に対応し記憶装置のデータベースから抽出され取得された少なくとも１つの提示用情報に基づき、表示信号出力手段で表示信号を生成する提示用情報を決定する提示用情報決定手段を構成する。
【００８７】
また、図１３におけるステップＳ４５が、利用者が表示切り替えを指示するための切り替え指示信号を入力可能な切り替え指示信号入力手段を構成する。
【００８８】
また、図１３におけるステップＳ５０が、利用者が店舗における割引サービスを受けるための割引情報識別子の付与を指示するための割引付与指示信号を入力可能な割引付与指示信号入力手段を構成し、ステップＳ５５が、割引付与指示信号入力手段での割引付与指示信号の入力があった場合に、通信手段を介し、利用者に関連づけられた無線タグ回路素子のＩＣ回路部に割引情報識別子を書き込む識別子書込手段を構成する。
【００８９】
以上説明したように、本実施形態の無線タグ情報読み取り装置１００においては、複数の利用者の有する利用者カードの無線タグ回路素子ＴoのＩＣ回路部１５０に記憶された利用者の飲食の嗜好情報が読み取られ、それら複数の嗜好情報に基づいて互いに一致する（または違いが少ない）料理ジャンル（上記の例では中華料理）を見出し、これを両者一緒に楽しんで食事をするのに適当なお店の情報として表示部１４０に表示させることができる。このようにして、複数の利用者にとって便利な情報を迅速かつ確実に提供でき、利便性を向上することができる。
【００９０】
また、この実施形態では特に、図１３におけるステップＳ２０で抽出した利用者の嗜好度数に基づきステップＳ２５で演算を行い、嗜好得点の最も高いジャンルに対応する店舗ファイルをステップＳ３０でデータベース１２８Ａから読み出し、その店舗ファイルのうち少なくとも１つをステップＳ３５でおすすめのお店情報として決定する。このようなデータベース１２８Ａへの検索抽出方式とすることにより、前述のような通信ネットワークＮＷからの信号によるデータベース１２８Ａのアップデートを頻繁に行うことで、移り変わりの激しい店舗情報等に対しても最新の情報を確実に提供することができる。
【００９１】
また、この実施形態では特に、図１３におけるステップＳ３０でデータベース１２８Ａから読み出した店舗ファイルに属する店舗データ情報に順位づけを行い、ステップＳ３５、ステップＳ４０、及びステップＳ４５において、おすすめのお店情報、次候補のおすすめのお店情報・・と切り替えながら表示可能とすることにより、所定の条件に応じ表示させた店舗情報について利用者が満足しなかったとき別の候補の店舗情報を新たに表示させることができ、さらに利便性を向上することができる。
【００９２】
また、この実施形態では特に、図１３におけるステップＳ５５で無線タグ回路素子ＴoのＩＣ回路部１５０にクーポンコードを書き込むことにより、利用者がそのクーポンコードを所持して対応する店舗に赴き、その行き先の店舗において設けられた適宜の読み取り装置によってクーポンコードを読み取ってもらうことで当該クーポンコードに対応した各種割引サービス等を受けることができ、さらに利便性を向上することができる。また、クーポンに装置１００の特定情報が記載されている場合には、店舗側では利用者がどの装置１００から誘導されて来店したか把握できる効果もある。
【００９３】
なお、本発明は、上記実施形態に限られるものではなく、その趣旨及び技術思想を逸脱しない範囲で種々の変形が可能である。以下、そのような変形例を順を追って説明する。
【００９４】
（１）複数のモードを選択できる場合
すなわち、上記実施形態では、１つの料理ジャンル内を限定して店舗データ（店舗情報）の検索を行い、その検索データのうち駅等の装置１００の設置場所からの距離が近い順に表示を行った。これに対し、本変形例では、このようなモード（これを「モード１」という）に加え、複数の料理ジャンルを混合させつつ距離を加味した店舗データの検索及び表示を行えるモード（これを「モード２」という）や、予算（低い順）も加味した店舗データの検索及び表示を行えるモード（これを「モード３」という）という、３つのモードの中から利用者が好みのモードを選択可能としたところである。
【００９５】
図１５は本変形例において制御部１２０内のＣＰＵ１２１が行う制御手順を表すフローチャートであり、上記実施形態の図１３に相当する図である。なお、図１３と同等の手順には同一の符号を付し、適宜説明を省略又は簡略化する。
【００９６】
図１５において、本変形例においては、ステップＳ２０の次に、新たに設けたステップＳ１００へ移る。このステップＳ１００では、店舗データ検索部１２１Ｂで、操作部１０の適宜のモード選択ボタンを介してモード選択（モードについては後述する）の操作がなされたか否か（モード選択操作信号が入力されたかどうか）を判定する。モード選択の操作がなされて、この判定が満たされるまで同じ判定を繰り返し、モード選択の操作がなされた場合、判定が満たされ、次のステップＳ１１０に移る。
【００９７】
ステップＳ１１０においては、上記ステップＳ１００で入力された選択モード（前述の例ではモード１、モード２、モード３のいずれか）を確定する。
【００９８】
その後、ステップＳ２５において前述と同様にして嗜好得点を算出した後、その算出得点に基づき、ステップＳ３０及びステップＳ３５に代えて設けたステップＳ３０′及びステップＳ３５′で、上記ステップＳ１１０で確定したモードに対応した処理を行う。
【００９９】
例えば、上記のステップＳ１００において「モード２」が選択された場合には、ステップＳ３０′において店舗データ検索部１２１Ｂで、データベース１２８Ａから、一つの料理ジャンルに限定されず、距離を加味した店舗データの読み出しを行う。例えば前述の例では、図７及び図９を用いて説明したように、中華料理の嗜好得点が１０４点で最も高くその中で店イが０．３ｋｍ、店ウが０．６ｋｍの距離であった。ここで、このステップＳ３０′においてデータベース１２８Ａにアクセスしたときに嗜好得点が次の９０点である洋食において、店イと同等に近い店（例えば距離０．３ｋｍ）の店イ′があることがわかった場合には、少なくともこの店イ′については利用者から選択される可能性があるものと見なして、中華料理のみならず洋食の店舗データの読み出しを行う。すなわち、店舗ファイル（中華）及び店舗ファイル（洋食）の全データを読み出し、メモリ１２３に記憶させる。なお、すべてのデータを読み出すのでなく、所定の条件を満たす一部のデータのみを読み出すようにしても良い。
【０１００】
その後、ステップＳ３５′において、店舗データ検索部１２１Ｂで、上記ステップＳ３０′でのデータ読み出しに対応した複数（この例では中華料理と洋食の２つ）のジャンルから、これに距離を加味しておすすめのお店情報を決定する。上記の例では、例えば第１位を中華料理でかつ距離が０．３ｋｍである上記店イとし、第２位（次候補）を洋食でかつ距離が０．３ｋｍである上記イ′とする。そして、その後のステップＳ４０及びステップＳ４５では、ステップＳ３５′での決定に対応した店舗情報の表示を行う。
【０１０１】
図１６（ａ）及び図１６（ｂ）は、このときのステップＳ４０において表示部１４０に表示されるお店情報の画像を表す図であり、上記実施形態の図１０（ａ）及び図１０（ｂ）にそれぞれ対応する図である。この場合、図１６（ｂ）において、次候補（図中（ｂ））として上記の洋食のお店イ′がおすすめのお店情報として表示される。図１６（ｂ）の画面にも図１０（ｂ）と同様の「戻る」「次へ」「クーポン」ボタンが表示されている。
【０１０２】
なお、上記の例では「中華料理」「洋食」の２ジャンルをデータベース１２８Ａから検索した場合を例にとって説明したが、さらに、ステップＳ２５で算出された嗜好得点の差が僅差のジャンルが３つ以上ある場合（あるいは上位得点の料理ジャンルの最近の店に比べ距離が非常に近い店が下位得点の料理ジャンルにあった場合）などにおいては、該当する全ての料理ジャンルの店舗情報についてステップＳ３０′で検索読み出しを行い、これを元におすすめのお店情報を決定するようにしてもよい。
【０１０３】
なお、上記のステップＳ１００において「モード３」が選択された場合には、上記と同様、ステップＳ３０′において店舗データ検索部１２１Ｂで、データベース１２８Ａから、一つの料理ジャンルに限定されず、必要な予算（例えば平均的な予算、最低予算等）を加味した店舗データの読み出しを行う。例えば前述の例では最高嗜好得点の中華料理店イが平均予算２０００円であったときに、嗜好得点次点の洋食において店イと同等に安い店の店イ″があることがわかった場合に上記同様中華料理のみならず洋食の店舗データの読み出しを行う。その後、ステップＳ３５′において例えば第１位を中華料理の店イとし、第２位（次候補）を洋食の店イ″とする。そして、その後のステップＳ４０及びステップＳ４５では、ステップＳ３５′での決定に対応した店舗情報の表示を行う。
【０１０４】
なお、モードは上記の３つのモードに限らず、上記のモードを種々組み合わせたものや、上記のモードとは別の条件のモードを新たに設けてもよい。
【０１０５】
以上において、図１５のフローのステップＳ１００が、抽出条件算出手段における抽出条件の設定に関する複数のモードのうち、利用者が所望のモードを選択するための信号を入力可能な選択信号入力手段を構成する。
【０１０６】
本変形例においても、上記実施形態と同様の効果を得ることができる。またこれに加え、利用者のモード選択の結果に応じて、複数用意されたモードのうちのいずれかに切り替え、当該モードに沿った条件で店舗データの読み出しを行うことができるので、そのときの利用者の意向をより反映した形でおすすめのお店情報の表示を行うことができる。
【０１０７】
（２）店舗情報を読み出した後にモード選択を行う場合
上記（１）の変形例においては、データベース１２８Ａの検索より前の手順であるステップＳ１１０及びステップＳ１１０でモード選択を行うことにより、当該モード選択に対応したデータ検索及び取得を行ったが、これに限られない。すなわち、上記実施形態のようにステップＳ２５で算出した嗜好得点が最高である料理ジャンルのデータをステップＳ３０で読み出した後、その読み出した単一ジャンルの店舗データの中からの表示店舗の決定の際に、上記モード選択に対応した店舗決定を行うようにしてもよい。すなわち上記実施形態の例では、ステップＳ３０で店舗ファイル（中華）の情報をすべて読み出した、装置１００の場所から店舗までの距離が最も近い順に表示店舗を決定したが、上記モード３のように予算を優先するモードが選択された場合には、（距離の遠近に関係なく）ステップＳ３０で読み出した全店舗データの中のうち、ステップＳ３５で、予算の低いものから順位を第１位、第２位というように定めてステップＳ４０で表示させるようにしてもよい。あるいは距離と予算との混合させて表示する（この場合それぞれについて所定の重み付け演算等を行えば足りる）ようにしてもよい。
【０１０８】
以上において、上記ステップＳ３５が、提示用情報決定手段における店舗情報の決定に関する複数のモードのうち、利用者が所望のモードを選択するための信号を入力可能な選択信号入力手段を構成する。
【０１０９】
本変形例においても、上記変形例（１）と同様、利用者のモード選択の結果に応じて、複数用意されたモードのうちのいずれかに切り替え、当該モードに沿った条件でおすすめのお店情報の決定を行うことができるので、そのときの利用者の意向をより反映した形でおすすめのお店情報の表示を行うことができる。
【０１１０】
（３）その他
（３−１）非電子クーポン券
以上においては、図１３及び図１５のステップＳ５０からステップＳ５５において、クーポンコードを無線タグ回路素子Ｔoに書き込むものとしたが（いわゆる電子クーポン）、これに限られない。すなわち、無線タグ情報読み取り装置１００に被印字体（紙等）に対する印字を含む発券機能を設け、紙のクーポン券として発行するものとしてもよい。
【０１１１】
（３−２）ポイント蓄積
前述したように電子クーポンや非電子クーポンを持って利用者が対応する飲食店舗に赴いた後、その飲食店舗での利用実績に応じて、前述の図１２で説明した無線タグ回路素子Ｔoの第５メモリ領域Ｒ５（ポイント情報書込み領域）を利用して（または新たな領域を作成してもよい）ポイント情報（来店ポイント、利用ポイント等）を書き込むようにしてもよい。
【０１１２】
これにより、おすすめのお店のクーポンコードが書き込まれた利用者カードを当該店舗において適宜の読み取り装置にて読み取ってもらったとき（非電子クーポンの場合は当該クーポン券を店舗側にて受け取ったとき）に、上記第５メモリ領域Ｒ５にポイント情報を書き込むことで、当該来店（又は利用）実績を累積ポイント情報として蓄積する（ポイントを貯める）ことができる。この結果、この蓄積に応じたサービスを利用者に提供することができ、さらに多様なサービスが可能となって利便性を向上することができる。
【０１１３】
なお、クーポンの有無に係わらず、来店や利用実績に応じて上記第５メモリ領域Ｒ５にポイント情報を書き込むようにしてもよい。またこの場合、前述のクーポンコードに割り当てたメモリ領域Ｒ３，Ｒ４を別の用途に使うことも可能となる。
【０１１４】
（３−３）飲食店以外等
上記は、利用者が利用する店舗として飲食店を例にとって説明したが、これに限られず、大小種々様々の物品を購入又はレンタル等するための店舗における利用者の嗜好（又は履歴）に対し本発明を適用してもよい。さらには店舗にも限られず、映画館（どの映画が二人ともおもしろく感じるか）、音楽会場（どの音楽分野が二人とも好ましく感じるか）、スポーツ観戦（どのスポーツが二人とも楽しく観戦できるか）、旅行の行き先（どこに行けば二人とも楽しめるか）、対人関係の分析場面（二人の嗜好の共通点は何か。どのような行動で一致不一致が見られるか）等、複数の人物がともに行動しようとする際にその嗜好の共通点を見いだせたほうが便利であるような状況において広く本発明は適用可能である。
【０１１５】
また、以上既に述べた以外にも、上記実施形態や各変形例による手法を適宜組み合わせて利用しても良い。
【０１１６】
その他、一々例示はしないが、本発明は、その趣旨を逸脱しない範囲内において、種々の変更が加えられて実施されるものである。
【図面の簡単な説明】
【０１１７】
【図１】本発明の一実施形態の無線タグ情報読み取り装置の全体構造を表す外観斜視図である。
【図２】利用者カードに係わる無線タグ回路素子との通信の様子を概念的に表す図である。
【図３】無線タグに備えられた無線タグ回路素子の機能的構成の一例を表すブロック図である。
【図４】制御部の機能的構成の詳細を表す機能ブロック図である。
【図５】通信制御部及びアンテナの詳細構成を表す機能ブロック図である。
【図６】利用者カードにおける上記嗜好情報の例を説明するための説明図である。
【図７】嗜好度数を算出するための説明図である。
【図８】データベースに格納されている店舗データの一例を概念的に表す図である。
【図９】店舗データの詳細を表した説明図である。
【図１０】おすすめのお店情報の画像の一例を表す図である。
【図１１】ＣＰＵ及び記憶装置内のデータベースの機能的構成を表す機能ブロック図である。
【図１２】無線タグのＩＣ回路部のメモリ領域を概念的に表す図である。
【図１３】ＣＰＵが行う制御手順を表すフローチャートである。
【図１４】無線タグのＩＣ回路部へクーポンコードの書き込みが行われる一例を概念的に表した図である。
【図１５】複数のモードを選択できる変形例においてＣＰＵが行う制御手順を表すフローチャートである。
【図１６】図１５の変形例において表示されるおすすめのお店情報の画像の一例を表す図である。
【符号の説明】
【０１１８】
１００        無線タグ情報読み取り装置
１１０        操作部
１２０        制御部
１２１        ＣＰＵ
１２１Ａ      タグサーチ部
１２１Ｂ      店舗データ検索部
１２１Ｃ      クーポン発行部
１２４        通信制御部（通信手段）
１３０        アンテナ（通信手段）
１４０        表示部
１５０        ＩＣ回路部
１５１        アンテナ（タグ側アンテナ）
２１２        送信部
２１３        受信部
Ｔ            無線タグ
Ｔo           無線タグ回路素子
【図１】
2008027083.tif 000003
【図２】
2008027083.tif 000004
【図３】
2008027083.tif 000005
【図４】
2008027083.tif 000006
【図５】
2008027083.tif 000007
【図６】
2008027083.tif 000008
【図７】
2008027083.tif 000009
【図８】
2008027083.tif 000010
【図９】
2008027083.tif 000011
【図１０】
2008027083.tif 000012
【図１１】
2008027083.tif 000013
【図１２】
2008027083.tif 000014
【図１３】
2008027083.tif 000015
【図１４】
2008027083.tif 000016
【図１５】
2008027083.tif 000017
【図１６】
2008027083.tif 000018